(57)【特許請求の範囲】
【請求項１】
板状の透明な遊技盤と、
一対の対向面と、該対向面のそれぞれの一端部側を連結する連結面と、を有し、断面が略コ字状に屈曲整形された導電性部材と、
遊技球を遊技領域へ導く外レール部材と、
前記外レール部材を保持部で保持しつつ内側面に取り付けることにより立設配置させ、かつ、前記遊技盤に固定されるレール飾りと、
を備えた遊技盤ユニットであって、
前記導電性部材が、前記遊技盤の端部に、該端部を前記一対の対向面で挟持して取り付けられ、かつ、前記レール部材を前記レール飾りの保持部の方向へ向けて押し付けるように前記対向面の一部が前記外レール部材の一部に弾性的に付勢されて当接している、遊技盤ユニット。
【請求項２】
前記導電性部材の前記対向面の一方又は両方に掬い面が形成されている、請求項１に記載の遊技盤ユニット。
【請求項３】
請求項１又は請求項２に記載の遊技盤ユニットと、
該遊技盤ユニットを遊技者に視認可能に支持する枠体と、
前記遊技盤ユニットに形成された遊技領域に遊技球を発射する遊技球発射装置と、を有する遊技機。
【発明の詳細な説明】
【技術分野】
【０００１】
遊技盤ユニット及び遊技機に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の景品球（賞球）払出しがされ、一方いずれの入賞口にも入賞せずアウト口に球が流入すれば景品球払出しはされない。遊技者は、弾球における自らの技量を発揮して、又は遊技球の流下における偶然性を利用しつつ遊技球の入賞及び景品球払出しを期待し、遊技を楽しむのである。
【０００３】
このパチンコ機の遊技領域に配置される遊技部品としては、遊技釘等の流路変更部材、遊技球が流入可能な各種入賞口、遊技球の通過を検出する通過ゲート、画像演出を実行する画像表示手段等があり、これらの遊技部品が遊技盤に配置されている。
【０００４】
従来、遊技盤の材質として、木製の合板が多用されていたが、近年は、透明な樹脂製の遊技盤を用いた遊技機が提供されている。例えば、特許文献１には樹脂製の透明板を備えた遊技機が開示されている。ところが、木製合板の表面に化粧版を貼着した遊技盤に比して、樹脂製の遊技盤は、遊技球との摩擦により発生する静電気が遊技盤に帯電し易く、遊技盤に帯電した静電気の放電による遊技盤に配置された各種電気部品への悪影響が生じることがある。また、遊技盤に配置される外レール部材も、遊技球発射ユニットから高速で発射される遊技球が激しく衝突、摺動して静電気を発生し易い部材であり、簡便で有効な除電対策が望まれている。
【先行技術文献】
【特許文献】
【０００５】
【特許文献１】特開２００９−２６８５５２号公報
【発明の概要】
【発明が解決しようとする課題】
【０００６】
しかしながら、特許文献１に記載されている遊技機の除電構造は、複雑で部品点数が多く、遊技機の組立作業が煩瑣であるという課題がある。
【０００７】
本発明は、上記の事情に鑑みてなされたものであり、部品点数が少なく、簡単な構造で組立作業性が良好であり、効果的な除電が行える遊技盤ユニット及び遊技機を提供することを例示的課題とする。
【課題を解決するための手段】
【０００８】
上記の課題を解決するために、本発明の例示的側面としての遊技盤ユニットは、板状の透明な遊技盤と、一対の対向面と、該対向面のそれぞれの一端部側を連結する連結面と、を有し、断面が略コ字状に屈曲整形された導電性部材と、遊技球を遊技領域へ導く外レール部材と、を備えた遊技盤ユニットであって、前記導電性部材が、前記遊技盤の端部に、該端部を前記一対の対向面で挟持して取り付けられ、かつ、前記対向面の一部が前記外レール部材の一部に弾性的に付勢されて当接している。
【発明の効果】
【０００９】
部品点数が少なく、簡単な構造で組立作業性が良好であり、効果的な除電が行える遊技盤ユニット及び遊技機を提供することができる。
【図面の簡単な説明】
【００１０】
【図１】実施の形態に係る遊技機としてのパチンコ機の正面図である。
【図２】図１に示すパチンコ機の背面図である。
【図３】実施の形態に係る遊技盤ユニットを示す斜視図である。
【図４】図３に示す遊技盤ユニットを一部分解して示す斜視図である。
【図５】実施の形態に係る導電性部材の斜視図である。
【図６】図５に示す導電性部材の断面図である。
【図７】実施の形態に係る遊技盤ユニットの一部を拡大して示す断面図である。
【実施するための形態】
【００１１】
以下、図面を参照して実施の形態について説明する。図１は、実施の形態に係る遊技機としてのパチンコ機２の正面図である。このパチンコ機２は、遊技機枠３、遊技盤ユニット５、前面ガラス（前面透明板）１０、発射ユニット（不図示）、貯留皿１４を有している。発射ユニットは、遊技球２３を１個ずつ遊技盤ユニット５に構成される遊技領域１６に向けて発射可能である。
【００１２】
パチンコ機２は、遊技者が後述する発射ハンドル１５を操作することによって、遊技領域１６に向けて遊技球２３が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技球の流下による遊技を実現する遊技領域を有するあらゆる遊技機が含まれる。なお、弾球遊技機においても、アレンジボール機、雀球機等の組合せ式遊技機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００１３】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技球２３用の経路等各種機構部品が配置され、遊技機枠３によって周囲側面及び前方又はそれに加えて後方からのパチンコ機２内部側への不正アクセスが防止されるようになっている。
【００１４】
パチンコ機２の周囲を囲む筐体枠４、その内側にヒンジ部２２によって前方開閉可能に揺動支持されて遊技盤ユニット５を保持する機枠９、機枠９の前方にヒンジ部２２によって前方開閉可能に揺動支持され前面ガラス１０及びその周囲を装飾する装飾部材３２を保持する装飾枠、を有して遊技機枠３が構成される。なお、前面ガラス１０は、遊技機枠３内部側に保持された遊技盤（遊技装置体）６を前方から遊技者が視認することができるようにするための透明部材である。
【００１５】
本実施の形態において、遊技盤６は透明な樹脂、例えば、アクリル樹脂等を板状に成形した部材を採用している。これにより、遊技者は、遊技盤６を透過して遊技盤の後方に配置された意匠パネルや演出装置を視認することができるように構成されている。なお、遊技盤６の材質は樹脂に限らず、透明なガラスその他のセラミックス等の素材を用いてもよい。
【００１６】
前面ガラス１０は、遊技盤６に対して一定距離以上離間して配置された透明板である。前面ガラス１０は透明平板ガラスで形成されて装飾枠の裏面側に保持され、遊技盤６との間に遊技球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００１７】
貯留皿１４は、遊技者の持ち球を貯留するためにパチンコ機２の前面に配置された皿部材であって、本実施の形態においては上皿１４と球排出ボタン１４ａとを有している。
【００１８】
発射ユニットは、球供給装置（不図示）によって貯留皿１４から発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、機枠９に取り付けられている。その発射ユニットによる遊技球発射のため、遊技者の操作に基づいて遊技球発射のオンオフ及びその発射強度調整を実現する発射ハンドル１５がパチンコ機２の前面下方に設けられている。
【００１９】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示画面を露出させるための表示開口部が形成されている。センター役物７と演出表示装置７ａとによって所定の識別情報を示すことができるように構成されている。遊技盤６の上部には、遊技の状況に応じた視覚的演出を実行する演出装置５００が、遊技盤６に対して可動的に取り付けられている。
【００２０】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての機枠９。）に保持されている。その遊技盤６の表面には略円形状に周囲を囲むようにレール飾り２６が取り付けられており、レール飾り２６の内側面に設けられた外レール部材２６ａが遊技盤に対して立設するように配置されている。そして、外レール部材２６ａによって画定され、外レール部材２６ａに面した略円形状の領域が遊技領域１６となっている。
【００２１】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、中央大入賞口３１等の入球部材及びアウト口３０が配置されている。更に、遊技領域１６には、通過ゲート３３、風車３４等が配置されており、流下する遊技球２３が各入球部材に流入したり、通過ゲート３３を通過したり、風車３４を回転させたりすることによって、遊技球２３による流下遊技を楽しむことができるようになっている。
【００２２】
センター役物７は、演出表示装置７ａの周囲を覆うように構成されており、図柄変動遊技（１種遊技）を実現するものである。センター役物７の上部には、演出装置５００が配置されている。
【００２３】
演出表示装置７ａは、例えば、液晶表示装置・有機ＥＬディスプレイ・ＬＥＤ等により構成されて遊技者が遊技盤面６ａ側から視認可能となるように配置され、その表示画面上に映像表示を行うものである。この演出表示装置７ａの表示画面には、第１装飾図柄７ｂを含む演出表示がなされる。また、例えば、キャラクタ等によるストーリー仕立ての映像としての演出映像も演出表示装置７ａの表示画面上に表示されるようになっている。
【００２４】
図２は、図１に示すパチンコ機の背面図である。遊技盤６の背面側には、パチンコ機２の全体の制御を行う遊技制御手段としての主制御基板を収容した主制御基板ケース３５と、演出表示装置７ａの画像表示等演出の制御及びセンター役物７、演出装置５００の発光制御を行う演出制御基板を収容した演出制御基板ケース３６と、景品球の払出しを制御する払出制御基板を収容した払出制御基板ケース３７と、電源基板を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００２５】
次いで、図３ないし図７の図面を参照して、本実施の形態に係る遊技盤ユニット５の詳細な構成について説明する。
【００２６】
図３は、本実施の形態に係る遊技盤ユニット５を示す斜視図であり、図４は、図３に示す遊技盤ユニット５を一部分解して示す斜視図である。なお、図４においては図３に示したレール飾り２６の図示を省略し、外レール部材２６ａを遊技盤６の前方に引き出し、かつ、導電性部材５０を遊技盤６の左側方に引き出した状態を示している。
【００２７】
図３及び図４に示す遊技盤６は、透明な樹脂を板状に成形した部材であり、本実施の形態では、透明なアクリル樹脂を用いている。従来、遊技盤６の材質としては、木製の合板が使用されており、その表面に、様々な意匠やキャラクタが描かれた化粧版を貼着して構成されていた。その場合、遊技盤面６ａに描かれる意匠やキャラクタは、静止している状態であるので、パチンコ機２の大きな領域を占める遊技盤６に対する遊技者の興趣を、長時間にわたり惹起することが困難であるという課題があった。そこで、本実施の形態に係る遊技盤ユニット５のように、透明な遊技盤６を採用することにより、遊技盤６と遊技盤６の背面側に備えられた支持部材７０により、遊技盤６の背面側に空間を作り、この空間内に、動画像の表示装置や照明演出装置、及び可動的に取り付けられた役物等を配置することにより、遊技盤６を透過して遊技の進行に応じた多彩な演出を遊技者が視認できるように構成することができる。
【００２８】
本実施の形態に係る遊技盤ユニット５は、樹脂製のスペーサ部材６０に背面側から保持されている。遊技盤６の左側端部６ｂには、導電性の金属板を成型加工した導電性部材５０が取り付けられている。遊技盤６の遊技盤面６ａ側には、支持部材７０を介してレール飾り２６が取り付けられている。このレール飾り２６の遊技盤面６ａに臨む略円弧状に形成された内側面には、外レール部材２６ａが、遊技盤６に対して立設するように配置されている。また、外レール部材２６ａと所定の距離を保持して、内レール部材６５が、遊技盤６に対して立設するように配置されている。内レール部材６５の遊技領域１６に臨む先端部には、遊技球戻り防止装置６７が配設されている。
【００２９】
図４に示すように、遊技盤６の左側端部６ｂには導電性部材５０を取り付けるための凹部６ｃが形成されている。この凹部６ｃは、導電性部材５０を遊技盤６の端部６ｂに取り付ける際の、遊技盤６に対する導電性部材５０の位置決めとして機能する部位である。この部位は、遊技球２３が図示しない発射ユニットから略真上に発射されて最初に外レール部材２６ａに勢いよく衝突して摺動し始める部位であり、静電気が発生し易い部位である。本実施の形態では、この静電気の発生し易い部位に導電性部材５０が取り付けられるので、外レール２６ａに帯電した静電気を効果的に除去することができる。
【００３０】
外レール部材２６ａは、合成樹脂を薄板状に成型加工した部材であり、図３に示したレール飾り２６の内側面に取り付けられている。なお、この外レール部材２６ａは、薄い金属板を成型加工した部材を用いてもよい。上記のように本実施の形態に係る遊技盤ユニット５は、透明樹脂製の遊技盤６と、この遊技盤ユニット５に取り付けられる導電性部材５０と、外レール部材２６ａを、少なくとも備えて構成される。
【００３１】
図５及び図６は、本実施の形態に係る導電性部材５０の構成を説明するための図であり、図５は、本実施の形態に係る導電性部材５０の斜視図であり、図６は、図５に示した導電性部材５０の断面図である。導電性部材５０は、導電性の金属薄板（以下、単に「板金」と呼ぶ場合がある。）を成型加工して形成される。なお、導電性部材５０としては、樹脂成型によって形成した基材の表面に導電性の物質にて、鍍金や蒸着等の手法により導電層を形成したものであってもよい。
【００３２】
導電性部材５０は、一対の対向面５１，５２と、これら対向面５１，５２の一端部側を連結する連結面５３と、を有しており、図６に示されるように断面が略コ字状になるように屈曲成型されている。この対向面５１，５２は対向方向の弾性を備えており、この一対の対向面５１，５２によって、遊技盤６の端部６ｂを弾性的に挟持して、導電性部材５０が遊技盤６に取り付けられる。
【００３３】
導電性部材５０の一方の対向面５２には、その開放端に向けて他方の対向面５１から離間する方向に傾斜する掬い面５４（テーパ面）が形成されている。この掬い面５４を設けることにより、導電性部材５０の遊技盤６への取り付け作業を、一層作業性の良いものとすることができる。掬い面５４は、対向面５１，５２のいずれか一方に形成しても良いし、両方の対向面５１，５２に形成しても良い。
【００３４】
更に、本実施の形態に係る導電性部材５０の一方の対向面５２の開放端部には、突設片５５が掬い面５４の端面部から突設形成されている。そして突設片５５の端部近傍は、外レール部材２６ａに当接する当接面５５ａとして機能し、この当接面５５ａを介して外レール部材２６ａに帯電した静電気を除電する。
【００３５】
更に、本実施の形態に係る導電性部材５０の他方の対向面５１の開放端部には、対向面５２から離間する方向に屈曲した屈曲縁５６が延設形成されている。この屈曲縁５６は導電性部材５０を遊技盤６以外の部材と結合させたり、導電性部材５０の強度を補強したりするための部位として形成されている。屈曲縁５６には、必要に応じて貫通孔５７等が形成される。
【００３６】
遊技盤６は、遊技球２３が流下して遊技を行う遊技領域１６を備えている。遊技球２３が遊技領域１６を流下する際に、遊技領域１６の遊技盤面６ａと遊技球２３との摩擦により遊技球２３に静電気が発生し、この静電気が遊技盤６に帯電することがある。導電性部材５０は、遊技盤６の端部６ｂに形成された凹部６ｃに、遊技盤６の表面及び裏面を弾性的に挟持して取り付けられるので、遊技盤６に帯電した静電気を効果的に除電する。なお、遊技盤６の端面は導電性部材５０の連結面５３に当接している。
【００３７】
図７は、本実施の形態に係る遊技盤ユニット５の一部を拡大して示す断面図である。導電性部材５０は、対向面５１，５２によって透明樹脂製の遊技盤６の端部６ｂを挟持して、遊技盤６に取り付けられている。このように構成することにより、部品点数が少なく簡単な構造で組立作業性が良好であり、効果的に遊技盤６に帯電した静電気を除電することができる遊技盤ユニット５を構成することができる。
【００３８】
更に、本実施の形態に係る導電性部材５０には、一方の対向面５２に形成された突設片５５に当接面５５ａが形成され、この当接面５５ａが弾性的に付勢されて外レール部材２６ａに当接するように構成されているので、外レール部材２６ａに帯電した静電気が、導電性部材５０によって効果的に除電される。
【００３９】
また、一方の対向面５２に掬い面５４が傾斜成型されているので、導電性部材５０の遊技盤６への取り付け作業性を、一層良好なものとすることができる。
【００４０】
また、本実施の形態に係る導電性部材５０に、対向面５１の端部から延設形成された屈曲縁５６を設けているので、導電性部材５０と他の部材との連結が容易であり、導電性部材５０の強度も確保される。また、屈曲縁５６に貫通孔５７等を形成することにより、導電性部材５０を容易に接地電位に接続された接地（アース）線等に接続することができる。
【００４１】
本実施の形態に係る遊技盤ユニット５によれば、部品点数が少なく組立作業性が良好で、効果的に除電が行われる遊技盤ユニット５を提供することができる。
【００４２】
以上、実施の形態を説明したが、本発明はこれらに限定されるものではなく、その要旨の範囲内で様々な変形や変更が可能である。
【符号の説明】
【００４３】
２：パチンコ機（遊技機）
３：遊技機枠
４：筐体枠（遊技機枠の一部）
５：遊技盤ユニット
６：遊技盤（遊技装置体）
６ａ：遊技盤面
６ｂ：端部
６ｃ：凹部
７：センター役物
７ａ：演出表示装置（画像表示手段）
７ｂ：第１装飾図柄
９：機枠（遊技機枠の一部）
１０：前面ガラス（前面透明板）
１４：貯留皿（上皿）
１４ａ：球排出ボタン
１５：発射ハンドル
１６：遊技領域
２２：ヒンジ部（揺動支持部）
２３：遊技球
２４：保持部
２６：レール飾り
２６ａ：外レール部材
２７：遊技釘
２８：普通入賞口
２９：始動入賞口
３０：アウト口
３１：中央大入賞口
３２：装飾部材
３３：通過ゲート
３４：風車
３５：主制御基板ケース
３６：演出制御基板ケース
３７：払出制御基板ケース
３８：電源基板ケース
３９：外部出力端子板
５０：導電性部材
５１，５２：対向面
５３：連結面
５４：掬い面（テーパ面）
５５：突設片
５５ａ：当接面
５６：屈曲縁
５７：貫通孔
６０：スペーサ部材
６５：内レール部材
６７：遊技球戻り防止装置
７０：支持部材
５００：演出装置
【図１】
0005424497.tif 000002
【図２】
0005424497.tif 000003
【図３】
0005424497.tif 000004
【図４】
0005424497.tif 000005
【図５】
0005424497.tif 000006
【図６】
0005424497.tif 000007
【図７】
0005424497.tif 000008